(57)【要約】【課題】短期間で設計を行うことができ、従来よりも強いトルクがリフトアームと支持アームが重なる方向に発揮できる原稿圧着板の開閉装置を提供する。【解決手段】複写機、ファクシミリー、スキャナー等のＯＡ機器に取り付けられ、自動原稿送り装置（ＡＤＦ）側等により重心が偏った重心側の原稿圧着板を開閉自在に支持する第１開閉装置と、重心側から離れた側の原稿圧着板を開閉自在に支持する第２開閉装置から成る原稿圧着板の開閉装置において、第２開閉装置が、ＯＡ機器本体に取り付けられる取付部材と、取付部材にヒンジ軸を介して回動自在に枢着される支持アームと、支持アームの先端部に支軸を介し該支持アームと重なる方向に回動自在に枢着されると共に原稿圧着板を取り付けるリフトアームと、リフトアームと上記支持アームとの間に介在して、リフトアームを支持アームに重なる方向に付勢するコンプレッションスプリングから構成されることを特徴とする【選択図】        図２
2010134230.tif 000002
【特許請求の範囲】
【請求項１】
複写機、ファクシミリー、スキャナー等のＯＡ機器に取り付けられ、自動原稿送り装置（ＡＤＦ）側等により重心が偏った重心側の原稿圧着板を開閉自在に支持する第１開閉装置と、該重心側から離れた側の原稿圧着板を開閉自在に支持する第２開閉装置から成る原稿圧着板の開閉装置において、上記第１開閉装置が、上記ＯＡ機器本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記取付部材との間に介在して、該リフトアームを上記支持アームと重なる方向に付勢すると同時に、該支持アームを開く方向に付勢するコンプレッションスプリングから構成され、また、上記第２開閉装置が、上記ＯＡ機器本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記支持アームとの間に介在して、該リフトアームを上記支持アームに重なる方向に付勢するコンプレッションスプリングから構成されることを特徴とする原稿圧着板の開閉装置。
【発明の詳細な説明】
【技術分野】
【０００１】
本発明は、複写機、ファクシミリー、スキャナー等の原稿のイメージを読取る手段を備えたＯＡ機器における原稿圧着板の開閉装置、特に、自動原稿送り装置（Auto Documennt Feeder：以下、ＡＤＦという）を備えて重心が片寄る原稿圧着板の開閉装置に関するものである。
【背景技術】
【０００２】
従来のこの種の原稿圧着板の開閉装置としては、原稿圧着板のＡＤＦ側を開閉自在に支持する第１開閉装置と、ＡＤＦから離れた側を開閉自在に支持する第２開閉装置があり、いずれも、複写機等の装置本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームから構成され、上記第１開閉装置においては、上記取付部材と支持アーム間にコンプレッションスプリングを介在させて、該支持アームを開く方向に付勢せしめる（ヒンジトルク付与）と同時に、上記リフトアームによるリフト規制を行うようになっており、上記第２開閉装置においては、上記コンプレッションスプリングは省略（ヒンジトルク付与せず）して、上記支持アームの先端部の支軸にトーションスプリングを設け、リフト規制のみを行うように構成したものがある。（例えば、特許文献１参照）
【０００３】
また、従来のこの種の原稿圧着板の開閉装置において、上記トーションスプリングに代えて、上記リフトアームの先端部と上記支持アームとの間にテンション（引張）スプリングを設けて、リフト規制のみを行うように構成したものがある。（例えば、特許文献２参照）
【０００４】
しかしながら、第２の開閉装置に設けた上記トーションスプリングやテンションスプリングは、同時に使用する第１開閉装置に設けたコンプレッションスプリングとは異なる種類のスプリングであるため、設計や製造に手間や時間がかかる等の難点があった。
また、上記トーションスプリングを使用した第２開閉装置は、支持アームの内部に無駄な空間が生じ、コンパクトな設計とならない難点があった。
さらに、上記テンションスプリングを使用した第２開閉装置は、動作範囲が広いため、荷重の弱いスプリングに頼るほか無かった。強いスプリングは、巻き数を増やすか、平均径を大きくするかしなければ、応力・定数を必要値に設定することが出来ないが、そのためスペースが大きくなるという欠点があった。
【特許文献１】特開２００６−３９０００８号公報
【特許文献２】特開２００５−３７９５４号公報
【発明の開示】
【発明が解決しようとする課題】
【０００５】
本発明が解決しようとする課題は、短期間で設計を行うことができ、
また、従来よりも強いトルクがリフトアームと支持アームが重なる方向に発揮できる原稿圧着板の開閉装置を提供することにある。
【課題を解決するための手段】
【０００６】
本発明の原稿圧着板の開閉装置は、複写機、ファクシミリー、スキャナー等のＯＡ機器に取り付けられ、自動原稿送り装置（ＡＤＦ）側等により重心が偏った重心側の原稿圧着板を開閉自在に支持する第１開閉装置と、該重心側から離れた側の原稿圧着板を開閉自在に支持する第２開閉装置から成る原稿圧着板の開閉装置において、上記第１開閉装置が、上記ＯＡ機器本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記取付部材との間に介在して、該リフトアームを上記支持アームと重なる方向に付勢すると同時に、該支持アームを開く方向に付勢するコンプレッションスプリングから構成され、また、上記第２開閉装置が、上記ＯＡ機器本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記支持アームとの間に介在して、該リフトアームを上記支持アームに重なる方向に付勢するコンプレッションスプリングから構成されることを特徴とする。
【発明の効果】
【０００７】
本発明の原稿圧着板の開閉装置は、短期間で設計を行うことができ、
また、従来よりも強いトルクがリフトアームと支持アームが重なる方向に発揮できるという利点がある。
【発明を実施するための最良の形態】
【０００８】
図１は、本発明装置の第２開閉装置の一実施例を示す斜視図であって、１は取付部材、２は支持アーム、３はリフトアームである。
【０００９】
上記取付部材１の両側片１ａには、ヒンジ軸１ｂを介して、上記支持アーム２の両側片２ａが回動自在に取り付けられている。
【００１０】
上記支持アーム２の先端部の上記両側片２ａには、支軸２ｂを介して、上記リフトアーム３が回動自在に取り付けられている。
【００１１】
上記リフトアーム３は、上記支持アーム２と重なる方向に回動自在に枢着される。該リフトアーム３の取付片３ａには、原稿圧着板（図示せず）が一体的に取り付けられる。
【００１２】
上記リフトアーム３には、上記支軸２ｂとは異なる位置に、作動ピン３ｂが取り付けられている。
【００１３】
図２から明らかなように、上記支持アーム２に固着された受部材２ｃと上記作動ピン３ｂに設けられた受部材３ｃとの間にコンプレッションスプリング４が取り付けられていて、上記リフトアーム３を上記支持アーム２と重なる方向に付勢している。
【００１４】
本実施例の開閉装置は以上のように構成されているので、上記コンプレッションスプリング４には、その取り付け構造から、上記支持アーム２を開方向に回転させるためのヒンジトルクを発生させる機能はなく、図３に示すように、開方向への回転は、専ら、上記第１開閉装置のヒンジトルクに追随するだけである。
【００１５】
一方、図４に示すように、上記支持アーム２と一体になって開いた上記リフトアーム３は、上記コンプレッションスプリング４の弾発力に抗して反対方向に回動させること（リフト規制）ができる。
【００１６】
なお、本発明における自動原稿送り装置（ＡＤＦ）側等により重心が偏った重心側の原稿圧着板を開閉自在に支持する第１開閉装置は、上記特許文献１の図２とその説明あるいは特許文献２の図５，６，７とその説明に開示されているように、ＯＡ機器本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記取付部材との間に介在して、該リフトアームを上記支持アームと重なる方向に付勢すると同時に、該支持アームを開く方向に付勢するコンプレッションスプリングから構成される。
【図面の簡単な説明】
【００１７】
【図１】リフト部材を透明にした第１開閉装置の斜視図である。
【図２】図１の支持部材を透明にした開閉装置の斜視図である。
【図３】本実施例装置の作用説明図である。
【図４】図３の装置のリフト規制の作用説明図である。
【符号の説明】
【００１８】
１    取付部材
１ａ  両側片
１ｂ  ヒンジ軸
２    支持アーム
２ａ  両側片
２ｂ  支軸
２ｃ  受部材
３    リフトアーム
３ａ  取付片
３ｂ  作動ピン
３ｃ  受部材
４    コンプレッションスプリング
【図１】
2010134230.tif 000003
【図２】
2010134230.tif 000004
【図３】
2010134230.tif 000005
【図４】
2010134230.tif 000006